(57)【要約】  端末装置と無線通信を行う無線基地局装置において、前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御する間欠判断部と、前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定するハンドオーバ判断部とを備える。
2012066676.tif 000002
【特許請求の範囲】
【請求項１】
端末装置と無線通信を行う無線基地局装置において、
前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御する間欠判断部と、
前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定するハンドオーバ判断部と
を備えることを特徴とする無線基地局装置。  
【請求項２】
前記間欠判断部は、第１の閾値を前記端末装置に送信し、前記第１のセルの品質が前記第１の閾値以下となったときに前記端末装置から送信された前記第１のメッセージを受信することを特徴とする請求項１記載の無線基地局装置。
【請求項３】
前記間欠判断部は、前記第１のセルにおいて前記参照信号が前記第２の送信期間で送信されているとき、規定された測定期間より長い測定期間で測定された前記第１のセルの品質を含む前記第１のメッセージを受信することを特徴とする請求項２記載の無線基地局装置。
【請求項４】
前記間欠判断部は、前記第２のセルの品質が第２の閾値以下のときでも前記第２のセルの品質が測定されたときに前記端末装置から送信された前記第１のメッセージを受信することを特徴とする請求項１記載の無線基地局装置。
【請求項５】
前記間欠判断部は、前記第１のメッセージに含まれる前記第２のセルの品質が基準値以上のとき、前記第２のセルにおいて前記第１の送信期間で前記参照信号が送信されるよう制御し、前記第２のセルの品質が基準値より小さいとき、前記第２のセルにおいて前記第２の送信期間で前記参照信号が送信されることを継続させるよう制御することを特徴とする請求項４記載の無線基地局装置。
【請求項６】
更に、スケジューラを備え、
前記間欠判断部は、前記第１又は第２のセルの品質を含む前記第１のメッセージを受信したとき、前記第２のセルにおいて前記第１の送信期間で前記参照信号が送信されるよう前記スケジューラに通知し、
前記スケジューラは、当該通知に基づいて、前記無線基地局装置配下の前記第２のセルに対して前記第１の送信期間で前記参照信号が送信されるようにスケジューリングを行い、
前記スケジューリングにより前記無線基地局装置配下の前記第２のセルにおいて前記第１の送信期間で前記参照信号が送信されることを特徴とする請求項１記載の無線基地局装置。
【請求項７】
更に、前記他の無線基地局装置との間でメッセージを送受信するメッセージ送受信処理部を備え、
前記間欠判断部は、前記第１又は第２のセルの品質を含む前記第１のメッセージを受信したとき、前記第２のセルにおいて前記第１の送信期間で前記参照信号が送信されるよう前記メッセージ送受信処理部に通知し、
前記メッセージ送受信処理部は、当該通知に基づいて前記他の無線基地局装置配下の前記第２のセルおいて前記第１の送信期間で前記参照信号が送信されるよう第３のメッセージを送信し、
前記第３のメッセージの送信により、前記他の無線基地局装置配下の前記第２のセルにおいて前記第１の送信期間で前記参照信号が送信されることを特徴とする請求項１記載の無線基地局装置。
【請求項８】
前記間欠判断部は、前記第１のセルの品質を含む前記第１のメッセージを受信したとき、前記第２の送信期間で前記参照信号を送信している全ての前記第２のセルに対して、前記第１の送信期間で前記参照信号が送信されるよう制御することを特徴とする請求項１記載の無線基地局装置。
【請求項９】
前記間欠判断部は、前記第２のセルの品質を含む前記第１のメッセージを受信したとき、品質が測定された前記第２のセルに対して、前記第１の送信期間で前記参照信号が送信されるよう制御することを特徴とする請求項１記載の無線基地局装置。
【請求項１０】
前記間欠判断部は、前記端末装置との間で送受信される信号のトラフィック量に基づいて前記第２の送信期間を決定することを特徴とする請求項１記載の無線基地局装置。
【請求項１１】
無線基地局装置と無線通信を行う端末装置において、
前記無線基地局装置配下の第１のセルにおいて、前記第１のセルの品質又は前記無線基地局装置配下或いは他の無線基地局装置配下の第２のセルの品質を第１の品質として測定し、更に、前記第１の品質を測定後、前記第２のセルの品質を第２の品質として測定する測定実施部と、
前記第１の品質を含む第１のメッセージと、前記第２の品質を含む第２のメッセージとを生成し、前記無線基地局装置に夫々送信する送信処理部とを備え、
前記測定実施部は、第１の送信期間よりも送信期間が短い第２の送信期間で送信された参照信号に基づいて前記第２のセルの品質を前記第１の品質として測定し、前記第１の送信期間で送信された前記参照信号に基づいて前記第２のセルの品質を前記第２の品質として測定することを特徴とする端末装置。
【請求項１２】
無線基地局装置と端末装置とを備え、
前記無線基地局装置と前記端末装置との間で無線通信を行う無線通信システムにおいて、
前記無線基地局装置は、
前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御する間欠判断部と、
前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定するハンドオーバ判断部とを備え、
前記端末装置は、
前記第１又は第２のセルの品質を第１の品質として測定し、更に、前記第１の品質を測定後、前記第２のセルの品質を第２の品質として測定する測定実施部と、
前記第１の品質を含む前記第１のメッセージと、前記第２の品質を含む前記第２のメッセージとを前記無線基地局装置に送信する送信処理部とを備えることを特徴とする無線通信システム。
【請求項１３】
端末装置と無線通信を行う無線基地局装置における無線通信方法であって、
前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御し、
前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定する、
ことを特徴とする無線通信方法。
【発明の詳細な説明】
【技術分野】
【０００１】
本発明は、無線基地局装置、端末装置、無線通信システム、及び無線基地局装置における無線通信方法に関する。
【背景技術】
【０００２】
現在、携帯電話システムや無線ＭＡＮ（Metropolitan Area Network）などの無線通信システムが広く利用されている。また、無線通信の分野では、通信速度や通信容量を更に向上させるべく、次世代の通信技術について継続的な議論が行われている。例えば、標準化団体の１つである３ＧＰＰ（3rd
Generation Partnership Project）では、ＬＴＥ（Long
Term Evolution）と呼ばれる無線通信システムや、ＬＴＥを発展させたＬＴＥ‐Ａ（Long
Term Evolution - Advanced）と呼ばれる無線通信システムが提案されている。【０００３】
このような無線通信システムにおいて、無線基地局装置（以下、「基地局」）は端末装置（以下、「端末」）に対して参照信号（Reference
Signal）を送信している。端末は、参照信号を用いて同期検波やセルサーチを行ったり、更に無線伝搬路状態を測定することができる。端末は、同期検波を行うことで基地局と同期してデータを送信又は受信することができ、これにより効率的な無線通信を行うことができる。【０００４】
参照信号は、無線リソースを用いて送信される。基地局は、この無線リソースを管理しており、ある無線リソースを用いて参照信号を送信している。図１６（Ａ）は５ＭＨｚ帯域における無線フレームの構成例、図１６（Ｂ）は同じく５ＭＨｚ帯域におけるリソースブロックの構成例を夫々示す図である。【０００５】
無線フレームの最小単位は、時間軸方向（図１６（Ａ）及び図１６（Ｂ）では横軸方向）ではＯＦＤＭ（Orthogonal
Frequency Division Multiplexing）シンボル、周波数軸方向（図１６（Ａ）及び図１６（Ｂ）では縦軸方向）ではサブキャリアである。時間軸方向において、例えば、１スロット（0.5msec）は１２個のＯＦＤＭシンボルを含み、１サブフレーム（1msec）は２個のタイムスロットを含む。また、周波数軸方向において、例えば、１リソースブロックは１２個のサブキャリアを含み、無線帯域が５ＭＨｚ帯の場合、２５個のリソースブロックを含む。なお、１リソースブロックは、例えば、１２個のサブキャリア、７個のＯＦＤＭＡシンボルを含む。【０００６】
図１６（Ａ）及び図１６（Ｂ）において黒ブロックは参照信号の送信に利用される無線リソースの例を示す。参照信号は、例えば図１６（Ａ）に示すようにスロット番号が割り振られたとき、偶数スロットを用いて送信される。端末は、例えば、基地局から送信された無線リソースの割り当て情報（スケジューリング情報）に基づいて、参照信号を受信することができる。【０００７】
図１７（Ａ）と図１７（Ｃ）は基地局と端末との接続例、図１７（Ｂ）と図１７（Ｄ）は参照信号の無線リソースの割り当て例を夫々示す図である。基地局（eNB:
evolutional Node B）１００は、自局のセル内に存在する複数の端末（UE: User
Equipment）２００‐１〜２００‐３と無線接続し、並列に参照信号を送信することができる。【０００８】
しかし、基地局１００のセル内に端末２００‐１〜２００‐３が存在しない場合（例えば、図１７（Ｃ））、或いは存在しても電源が投入されていない等のアイドル状態の場合、基地局１００が参照信号を送信しても、参照信号は使用されない。このような場合、参照信号の送信のために無線リソースが無駄に使用され、さらに、基地局１００の消費電力も無駄に使用される。【０００９】
そこで、基地局１００は、自局のセル内に端末２００‐１〜２００‐３が存在しない場合等において、参照信号を間欠送信により送信する。参照信号の間欠送信は、例えば、送信に使用されるスロット（例えば偶数スロット）が１又は複数スロット分間引かれ、残りのスロットを用いて参照信号が送信されることをいう。図１７（Ｄ）の例において、基地局１００は、スロット番号「２」，「４」，「６」のスロットを間引いて、スロット番号「０」，「８」，…のスロットを用いて参照信号を送信する。参照信号の間欠送信により、参照信号が送信されないタイミングがあるため、基地局１００は消費電力を削減できる。【００１０】
一方、参照信号は、端末がハンドオーバを行う際に利用されることがある。図１８（Ａ）はセルの構成例、図１８（Ｂ）はハンドオーバの処理シーケンスの例を夫々示す図である。端末２００は、ハンドオーバにより、接続中の基地局のセル（以下、「自セル」）から、ハンドオーバ先候補の基地局のセル（以下、「他セル」）に移動することになる。【００１１】
なお、以下において、ハンドオーバとは、例えば、端末２００が自セルから他セルに移動することをいう。また、ハンドオーバ先候補の他セルは、例えば、当該他セルを配下に有するハンドオーバ先候補の基地局のことであり、ハンドオーバ先候補の基地局は接続中の基地局１００の場合もあるし、接続中の基地局とは異なる基地局の場合もある。【００１２】
また、端末２００が自セルの品質を測定することとは、例えば、端末２００が当該自セルをセル範囲に有する接続中の基地局１００から送信された参照信号に基づいて品質を測定することである。また、端末２００が他セルの品質を測定することとは、例えば、端末２００がハンドオーバ先候補の他セルをセル範囲に有する基地局から当該他セルに対して送信された参照信号に基づいて品質を測定することである。【００１３】
図１８（Ａ）の例では、端末２００は自セル（セル＃ａ）の品質を測定し、更に、他セル（セル＃ｂ〜セル＃ｄ）の各品質を測定している。端末２００は、自セルと他セルの品質を測定後、接続中の基地局（S-eNB:
Source eNB）１００にｍｅａｓｕｒｅｍｅｎｔ  ｒｅｐｏｒｔメッセージを送信する。このｍｅａｓｕｒｅｍｅｎｔ  ｒｅｐｏｒｔメッセージには、自セルと他セルに対する品質の測定値を含む。なお、図１８（Ｂ）の例では、ハンドオーバ先の基地局（T-eNB:
Target eNB）は接続中の基地局１００とは異なる基地局にハンドオーバする例を示している。この場合のハンドオーバのシーケンスは以下のようになる。【００１４】
すなわち、接続中の基地局１００は、ｍｅａｓｕｒｅｍｅｎｔ  ｒｅｐｏｒｔメッセージを受信後（Ｓ１００）、当該メッセージに含まれる測定値に基づいて、ハンドオーバ先の基地局を決定する。基地局１００は、決定したハンドオーバ先の基地局にＨＯ  ｒｅｑｕｉｒｅｄ／ｒｅｑｕｅｓｔメッセージを送信する（Ｓ１０１）。このＨＯ  ｒｅｑｕｉｒｅｄ／ｒｅｑｕｅｓｔメッセージが、例えば、ハンドオーバ先の基地局へのハンドオーバ要求となる。【００１５】
その後、接続中の基地局１００は、ハンドオーバ先の基地局に関する情報を含むＲＲＣｃｏｎｎｅｃｔｉｏｎＲｅｃｏｎｆｉｇｕｒａｔｉｏｎメッセージを端末２００に送信する（Ｓ１０２）。そして、端末２００はハンドオーバ先の基地局に対して、ＲＲＣｃｏｎｎｅｃｔｉｏｎＲｅｃｏｎｆｉｇｕｒａｔｉｏｎＣｏｍｐｌｅｔｅメッセージを送信し、ハンドオーバが完了する（Ｓ１０３）。ただし、ＨＯ  ｒｅｑｕｅｉｒｅｄ／ｒｅｑｕｅｓｔメッセージ以降、ＲＲＣ  ｃｏｎｎｅｃｔｉｏｎ  Ｒｅｃｏｎｆｉｇｕｒａｔｉｏｎメッセージ間のメッセージを一部省略している。【００１６】
ここで、端末２００がｍｅａｓｕｒｅｍｅｎｔ  ｒｅｐｏｒｔメッセージとして測定値を報告する場合について、例えば２つの方法がある。図１９（Ａ）及び図１９（Ｂ）はかかる場合の例を夫々示す図である。【００１７】
１つ目の方法は、ｓ‐Ｍｅａｓｕｒｅと呼ばれるものである（例えば図１９（Ａ））。ｓ‐Ｍｅａｓｕｒｅは、基地局１００が予めｓ‐Ｍｅａｓｕｒｅに関する閾値を端末２００に送信しておく。そして、端末２００は自セルの品質を測定し、測定値が当該閾値以下となったとき、測定値をｍｅａｓｕｒｅｍｅｎｔ  ｒｅｐｏｒｔメッセージに含めて送信する。ｓ‐Ｍｅａｓｕｒｅは、自セルの品質を測定するための閾値として用いられる。【００１８】
２つ目の方法は、ｒｅｐｏｒｔＳｔｒｏｎｇｅｓｔＣｅｌｌｓまたはｒｅｐｏｒｔＳｔｒｏｎｇｅｓｔＣｅｌｌｓＦｏｒＳＯＮと呼ばれるものである。ｒｅｐｏｒｔＳｔｒｏｎｇｅｓｔＣｅｌｌｓは、例えば、基地局１００が予めｒｅｐｏｒｔＳｔｒｏｎｇｅｓｔＣｅｌｌｓに関する閾値を端末２００‐１，２００‐２に送信しておく。端末２００‐１は、自セル又は他セルの品質を測定し、そのうち少なくとも１つのセルに対する測定値が当該閾値以上になったとき、当該測定値をｍｅａｓｕｒｅｍｅｎｔ  ｒｅｐｏｒｔとして送信する方法である（例えば図１９（Ｂ））。また、ｒｅｐｏｒｔＳｔｒｏｎｇｅｓｔＣｅｌｌｓＦｏｒＳＯＮは、例えば、端末２０‐１が最も強いセルを決定したときに当該測定値をｍｅａｓｕｒｅｍｅｎｔ  ｒｅｐｏｒｔメッセージに含めて送信する方法である。ｒｅｐｏｒｔＳｔｒｏｎｇｅｓｔＣｅｌｌｓまたはｒｅｐｏｒｔＳｔｒｏｎｇｅｓｔＣｅｌｌｓＦｏｒＳＯＮはどちらも、例えば、自セルと他セルの品質を測定するために用いられる。
【先行技術文献】
【非特許文献】
【００１９】
【非特許文献１】3GPP TS 36.331 V8.10.0(2010-06)
【非特許文献２】3GPP TS 36.133 V8.10.0(2010-06)
【非特許文献３】3GPP TS 36.423 V8.9.0(2010-03)
【非特許文献４】3GPP TS 36.413 V8.10.0(2010-06)
【非特許文献５】3GPP TS 36.300 V8.12.0(2010-03)
【発明の概要】
【発明が解決しようとする課題】
【００２０】
しかし、端末２００がハンドオーバ先候補となる他セルの品質を測定するときに、当該他セルにおいて参照信号の間欠送信が行われていると（例えば図２０参照）、端末２００は当該他セルの品質を正確に測定できない場合がある。このような場合、端末２００にとって当該他セルがハンドオーバ先候補とならなくなる。【００２１】
すなわち、端末２００がｓ‐ＭｅａｓｕｒｅやｒｅｐｏｒｔＳｔｒｏｎｇｅｓｔＣｅｌｌｓなどにより自セル又は他セルの品質を測定するときは測定時間が規定されており、端末２００は規定時間内において次セル又は他セルの品質を測定する（例えば、図２１）。しかし、測定対象の他セルが参照信号の間欠送信を行っているとき、数スロット間引かれたタイミングで参照信号が送信されるため、端末２００は規定時間内に品質を測定できない。このような場合、端末２００は測定値をｍｅａｓｕｒｅｍｅｎｔ  ｒｅｐｏｒｔメッセージとして報告することができない。間欠送信を行っている他セルは、端末２００からするとセルハンドオーバ先候補のセルとはならなくなってしまう。よって、端末２００は当該他セルに移動できなくなる場合がある。【００２２】
また、端末２００が、間欠送信を行っている他セルの品質を測定しても、スロットが間引かれて参照信号が送信されるため、測定値が閾値に満たない場合がある。例えば、上述したｒｅｐｏｒｔＳｔｒｏｎｇｅｓｔＣｅｌｌｓが用いられる場合、他セルの測定値が閾値に満たないと、端末２００はｍｅａｓｕｒｅｍｅｎｔ  ｒｅｐｏｒｔメッセージを送信できない（例えば、図２２）。この場合も、当該他セルが端末２００のハンドオーバ先とはならなくなってしまう。よって、端末２００は、当該他セルに移動できなくなる場合がある。【００２３】
そこで、本発明の一目的は、参照信号の間欠送信が行われているセルに対しても端末装置が移動できるようにした無線基地局装置、端末装置、無線通信システム、及び無線基地局装置における無線通信方法を提供することにある。
【課題を解決するための手段】
【００２４】
一態様によれば、端末装置と無線通信を行う無線基地局装置において、前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御する間欠判断部と、前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定するハンドオーバ判断部とを備える。
【発明の効果】
【００２５】
参照信号の間欠送信が行われているセルに対しても端末装置が移動できるようにした無線基地局装置、端末装置、無線通信システム、及び無線基地局装置における無線通信方法を提供することができる。
【図面の簡単な説明】
【００２６】
【図１】図１は無線通信システムの構成例を示す図である。
【図２】図２は無線通信システムの構成例を示す図である。
【図３】図３は無線通信システムの構成例を示す図である。
【図４】図４は無線通信システムの構成例を示す図である。
【図５】図５は無線通信システムの構成例を示す図である。
【図６】図６は基地局の構成例を示す図である。
【図７】図７は端末の構成例を示す図である。
【図８】図８は全体動作の例を示すシーケンス図である。
【図９】図９はＲＳ間欠送信処理の例を示すフローチャートである。
【図１０】図１０はＲＳ間欠送信停止処理の例を示すフローチャートである。
【図１１】図１１はＨＯ処理及び間欠再開処理の例を示すフローチャートである。
【図１２】図１２は端末側処理の例を示すフローチャートである。
【図１３】図１３はＲＳ間欠送信停止処理の例を示すフローチャートである。
【図１４】図１４は端末側処理の例を示すフローチャートである。
【図１５】図１５（Ａ）〜図１５（Ｃ）は間欠送信タイミングの例、図１５（Ｄ）はセルの関係例を夫々示す図である。
【図１６】図１６（Ａ）は無線フレームの構成例、図１６（Ｂ）はリソースブロックの構成例を夫々示す図である。
【図１７】図１７（Ａ）と図１７（Ｃ）は基地局と端末との関係例、図１７（Ｂ）と図１７（Ｄ）は参照信号の送信タイミング例を夫々示す図である。
【図１８】図１８（Ａ）はセルの構成例、図１８（Ｂ）はハンドオーバ処理のシーケンス例を夫々示す図である。
【図１９】図１９（Ａ）及び図１９（Ｂ）は基地局と端末の関係例を夫々示す図である。
【図２０】図２０は基地局と端末の関係例を示す図である。
【図２１】図２１は間欠送信の測定時間の例を示す図である。
【図２２】図２２は基地局と端末の関係例を示す図である。
【発明を実施するための形態】
【００２７】
以下、本実施の形態について図面を参照して詳細に説明する。
【００２８】
［第１の実施の形態］
図１は、第１の実施の形態における無線通信システムの構成例を示す図である。無線通信システム１は、無線基地局装置１０と端末装置５０、及び他の無線基地局装置１２０とを備える。無線基地局装置１０と端末装置５０は無線通信を行う。図１の例では、端末装置５０は無線基地局装置１０配下の第１のセルに位置（又は在圏）し、第１のセルにおいて無線基地局装置１０と無線通信を行う。
【００２９】
無線基地局装置１０は、間欠判断部１１０とハンドオーバ判断部１１１とを備える。
【００３０】
間欠判断部１１０は、無線基地局装置１０配下の第１のセルにおいて端末装置５０により測定された、第１のセルの品質又は無線基地局装置１０配下或いは他の無線基地局装置１２０配下の第２のセルの品質を含む第１のメッセージを受信したときに、第２のセルにおいて第１の送信期間より送信期間が短い第２の送信期間で参照信号が送信されているとき、第２のセルにおいて第１の送信期間で参照信号が送信されるよう制御する。
【００３１】
また、ハンドオーバ判断部１１１は、第１の送信期間で送信された参照信号に基づいて第１のセルにおいて端末装置５０により測定された第２のセルの品質を含む第２のメッセージを受信し、当該品質に基づいて端末装置５０のハンドオーバ先を決定する。
【００３２】
端末装置５０は、測定実施部５１０と送信処理部５１１とを備える。
【００３３】
測定実施部５１０は、第１又は第２のセルの品質を第１の品質として測定し、更に、第１の品質を測定後、第２のセルの品質を第２の品質として測定する。
【００３４】
また、送信処理部５１１は、第１の品質を含む第１のメッセージと、第２の品質を含む第２のメッセージとを無線基地局装置１０に送信する。
【００３５】
無線基地局装置１０は、第１のメッセージを受信したときに、第２のセルにおいて第２の送信期間で参照信号が送信されているとき（又は参照信号の間欠送信が行われているとき）、これを停止させ、第１の送信期間で送信するように制御する。これにより、端末装置５０は第２のセルに対する品質を正確に測定することができる。無線基地局装置１０は、当該品質に基づいてハンドオーバ先を決定するため、端末装置５０は参照信号の間欠送信が行われているセルに対してもハンドオーバにより移動することができる。
【００３６】
［第２の実施の形態］
＜全体構成例＞
図２は、第２の実施の形態における無線通信システムの構成例を示す図である。無線通信システム１は、無線基地局装置（eNB）（以下、「基地局」）１０と端末装置（UE）（以下、「端末」）５０とを備える。
【００３７】
基地局１０は、例えば、１又は複数のセル＃１〜＃４を有し、各セル範囲内において端末５０に対して、無線通信により種々のサービスを提供できる。基地局１０は複数の端末５０と並列に無線通信が可能である。一方、端末５０は、基地局１０と接続して無線通信を行う。端末５０は、例えば、携帯電話機や情報携帯端末などである。
【００３８】
基地局１０と端末５０は、各セル範囲内において、双方向に無線通信が可能である。すなわち、基地局１０は端末５０にデータ送信（下りリンク通信）を行い、端末５０は基地局１０にデータ送信（上りリンク通信）を行うことが可能である。基地局１０は、下りリンク通信および上りリンク通信についてスケジューリングを行い、無線リソースを割り当てることで、無線通信を行う。スケジューリング情報は例えば制御信号として基地局１０から端末５０に適宜送信される。
【００３９】
図２に示す無線通信システム１は、同一の基地局１０内でハンドオーバが行われる例を示している。セクタ間ハンドオーバ（又はセル間ハンドオーバ）とは、例えば、このように端末５０がハンドオーバ先の基地局１０を変えずにセル間を移動することをいう。図２の例では、セル＃１もセル＃２も同一基地局１０配下のセルとなっている。１つの基地局１０が複数のセル＃１〜セル＃４を有しているとき、各セル＃１〜セル＃４を、例えばセクタと呼ぶことがある。以下において、セルとセクタは、特に断らない限り区別しないで用いるものとする。
【００４０】
なお、以下の実施例において、セルとは、例えば、基地局１０が端末５０に対して種々のサービスを提供することができる範囲をいう。また、自セルとは、例えば、基地局１０配下のあるセルにおいて端末５０が基地局１０と接続している場合の当該セルのことをいう。また、他セルとは、例えば、ハンドオーバ先候補となる基地局配下のセルのことをいう。
【００４１】
また、ハンドオーバとは、例えば、端末５０が自セルから他セルに移動することをいう。更に、ハンドオーバ先候補の他セルとは、例えば、当該他セルを配下に有するハンドオーバ先候補の基地局と同じ意味に用いるものとし、ハンドオーバ先候補の基地局は接続中の基地局の場合もあるし、接続中の基地局とは異なる基地局の場合もある。
【００４２】
更に、端末５０が自セルの品質を測定することとは、例えば、端末５０が当該自セルにおいて接続中の基地局１０から送信された参照信号に基づいて品質を測定することである。また、端末５０が他セルの品質を測定することとは、例えば、端末５０がハンドオーバ先候補の他セルを配下とする基地局から当該他セルに対して送信された参照信号に基づいて品質を測定することである。更に、セルに接続するとは、例えば、端末５０が当該セルを配下とする基地局１０に接続することをいう。
【００４３】
図３も無線通信システム１の構成例であるが、異なる基地局でハンドオーバが行われる例を示している。すなわち、図３は端末５０が基地局（eNB#1）１０‐１配下のセル＃１から、基地局（eNB#2）１０‐２配下のセル＃２に移動する例を示している。基地局間ハンドオーバ（又はＸ２ハンドオーバ）とは、例えば、端末５０が接続中の基地局１０‐１とは異なる基地局１０‐２に接続を切替えてセル間を移動することをいう。基地局間ハンドオーバでは、基地局１０‐１，１０‐２間において、データやメッセージなどが直接送受信される。
【００４４】
図４も無線通信システム１の構成例である。無線通信システム１は、更に、ＭＭＥ（Mobility
Management Entity）７０を備える。ＭＭＥ７０は、基地局１０‐１，１０‐２に接続され、例えば、端末５０の移動管理やデータの経路設定などを行う。図４の例は、図３の例と同様に基地局間ハンドオーバの例であるが、基地局１０‐１，１０‐２の上位装置であるＭＭＥ７０を介してデータやメッセージなどが送受信される例を示している。
【００４５】
図５も無線通信システム１の構成例である。無線通信システム１は、更に、複数のＭＭＥ７０‐１，７０‐２を備える。この場合のハンドオーバは、ＭＭＥ７０‐１配下の基地局１０‐１が有するセル＃１から、ＭＭＥ７０‐２配下の基地局１０‐１０が有するセル＃２へ端末５０が移動する例である。ＭＭＥ間ハンドオーバ（又はＳ１ハンドオーバ）は、例えば、複数のＭＭＥを跨いで端末５０がセル間を移動することをいう。ＭＭＥ間ハンドオーバは、ＭＭＥ７０‐１，７０‐２を経由して基地局１０‐１，１０‐１間でデータやメッセージなどが送受信される。
【００４６】
なお、上述したいずれの例においても、端末５０が自セルから他セルに移動することでハンドオーバが行われる点は同様である。
【００４７】
＜基地局１０と端末５０の構成例＞
次に基地局１０と端末５０の構成例について夫々説明する。図６は基地局１０、図７は端末５０の各構成例を示す図である。
【００４８】
基地局１０は、アンテナ１１、電波送受信部１２、信号受信処理部１３、ＵＥ監視部１４、ＨＯ判断部１５、Ｘ２／Ｓ１メッセージ送受信処理部１６、トラフィック監視部１７、ＲＳ間欠判断部１８、スケジューラ２０、及び信号送信処理部２１を備える。なお、基地局１０は１又は複数のセルを有する。
【００４９】
第１の実施例において、間欠判断部１０は、例えば、アンテナ１１、電波送受信部１２、信号受信処理部１３、ＵＥ監視部１４、トラフィック監視部１７、及びＲＳ間欠判断部１８に対応する。また、ハンドオーバ判断部１１１は、例えば、アンテナ１１、電波送受信部１２、信号受信処理部１３、及びＨＯ判断部１５に対応する。
【００５０】
アンテナ１１は、端末５０から送信された無線信号を受信し、又は、電波送受信部１２から出力された無線信号を端末５０に送信する。
【００５１】
電波送受信部１２は、アンテナ１１で受信した無線信号をベースバンド信号に変換して信号受信処理部１３に出力し、又は、信号送信処理部２１から出力されたベースバンド信号を無線信号に変換してアンテナ１１に出力する。電波送受信部１２は、無線信号とベースバンド信号との間の変換のために、例えば、周波数変換器、帯域通過フィルタなどを備える。
【００５２】
信号受信処理部１３は、電波送受信部１２から出力されたベースバンド信号に対して、復調処理や復号処理等を行い、データや信号を抽出する。信号受信処理部１３は、抽出したデータにＵＥコンテキストが含まれる場合、当該ＵＥコンテキストをＵＥ監視部１４に出力する。ＵＥコンテキストは、例えば、端末５０が位置するセルのセルＩＤや、端末５０のＩＤ、更に端末５０の状態（アクティブモードなど）を示す情報が含まれ、端末５０から送信されるものである。
【００５３】
また、信号受信処理部１３は、抽出したデータにｍｅａｓｕｒｅｍｅｎｔ  ｒｅｐｏｒｔメッセージが含まれる場合、当該メッセージをＨＯ判断部１５とＲＳ間欠判断部１８に出力する。ｍｅａｓｕｒｅｍｅｎｔ  ｒｅｐｏｒｔメッセージは、例えば、測定対象のセルＩＤと、端末５０が測定した無線伝搬路状態の品質に関する測定値とを含む。
【００５４】
更に、信号受信処理部１３は、例えば、抽出したデータにメッセージが含まれるとき、当該メッセージをＸ２／Ｓ１メッセージ送受信処理部１６に出力する。また、信号受信処理部１３は、例えば、抽出したデータをトラフィック監視部１７に出力する。
【００５５】
ＵＥ監視部１４は、信号受信処理部１３から出力されるＵＥコンテキストを監視することで、例えば、基地局１０に接続する端末５０がどのセルに位置し、どのような状態であるかを監視する。端末５０は例えばアイドル状態になったり、電源を切断したりすると、ＵＥコンテキストを送信しない。そのため、ＵＥ監視部１４は、例えば、あるセルのＵＥコンテキストを信号受信処理部１３から入力しない場合、当該セル内において端末５０がすべてアイドル状態等になったことを検出できる。ＵＥ監視部１４は、監視結果をＲＳ間欠判断部１８に出力する。監視結果には、例えば、ＵＥごとにＵＥコンテキストを受信したか否か（又はアクティブ状態か否か）、ＵＥコンテキストを受信しなくなったセルがある場合にその旨と当該セルのセルＩＤを含む。
【００５６】
ＨＯ判断部１５は、ハンドオーバの実行の有無や、ハンドオーバ先の基地局（又はハンドオーバ先のセル）の決定などを行う。ＨＯ判断部１５は、例えば、ｍｅａｓｕｒｅｍｅｎｔ  ｒｅｐｏｒｔメッセージに含まれる測定値が最も高い他セルをハンドオーバ先に決定する。ＨＯ判断部１５は、ハンドオーバすることを決定したとき、ハンドオーバの要求などのメッセージ（例えばＨＯ  ｒｅｑｕｉｒｅｄ／ｒｅｑｕｅｓｔメッセージ）を送信するようＸ２／Ｓ１メッセージ送受信処理部１６に依頼する。ＨＯ判断部１５は、ハンドオーバ先の他セルを配下とする基地局が、接続中の基地局１０とは異なる基地局の場合に依頼し、ハンドオーバ先の他セルを配下とする基地局が接続中の基地局１０と同一の場合は依頼しないことになる。
【００５７】
なお、ＨＯ判断部１５は、例えば、ＲＳ間欠判断部１８からＲＳ間欠送信モードであることを通知されたとき、ＨＯの判断を行わず、ＲＳ間欠判断部１８からＲＳ間欠送信モードの停止を通知されたとき、ＨＯの判断を行う。
【００５８】
ここで、ＲＳ間欠送信モード（又はＥＳ（Energy Saving）モード）とは、前述したように（例えば図１５（Ｂ））、例えば、送信に使用されるスロット（例えば偶数スロット）が１又は複数スロット分間引かれ、送信に使用される残りのスロットを用いて参照信号が送信されるモードのことである。あるいは、ＲＳ間欠送信モードは、例えば、送信に使用されるスロットが間引かれて、第１の送信期間よりも送信期間が短い第２の送信期間で参照信号が送信されるモードのことである。また、ＲＳ間欠送信モードの停止とはＲＳ間欠送信モードを停止することで、この停止により、例えば参照信号は偶数スロットを用いて端末５０に送信される。
【００５９】
Ｘ２／Ｓ１メッセージ送受信処理部１６は、信号受信処理部１３から出力されたメッセージからＸ２メッセージ又はＳ１メッセージを生成し、他の基地局（例えば隣接基地局）又はＭＭＥ７０に夫々送信する。Ｘ２メッセージは、例えば、基地局間でメッセージを直接送受信するときのインタフェースに基づくメッセージであり、Ｓ１メッセージは、例えば、ＭＭＥ７０を介して他の基地局にメッセージを送受信するときのインタフェースに基づくメッセージである。
【００６０】
また、Ｘ２／Ｓ１メッセージ送受信処理部１６は、ＨＯ判断部１５から出力されたハンドオーバ先を示す基地局ＩＤやセルＩＤなどを含むＸ２又はＳ１メッセージを生成し、他の基地局やＭＭＥ７０に送信する。更に、Ｘ２／Ｓ１メッセージ送受信処理部１６は、ＲＳ間欠判断部１８からＲＳ間欠送信モードであることの通知を受けたとき、基地局１０がＲＳ間欠送信モードであることなどを含むＸ２又はＳ１メッセージを生成し、他の基地局やＭＭＥ７０に送信する。
【００６１】
一方、Ｘ２／Ｓ１メッセージ送受信処理部１６は、Ｘ２又はＳ１メッセージを受信することもでき、受信したメッセージを信号送受信処理部２１に出力する。また、Ｘ２／Ｓ１メッセージ送受信処理部１６は、受信したメッセージに他の基地局から間欠送信モードである通知が含まれるとき、当該通知をＲＳ間欠判断部１８に出力する。
【００６２】
トラフィック監視部１７は、信号受信処理部１３からデータを入力し、基地局１０が受信したデータ（上り通信リンクのデータ）のトラフィック量（例えば、単位時間あたりのデータ量）を検出する。また、トラフィック監視部１７は、信号送信処理部２１からもデータを入力し、基地局１０から送信する下り通信リンクのデータのトラフィック量を検出する。トラフィック監視部１７は、検出したトラフィック量をＲＳ間欠判断部１８に出力する。なお、トラフィック監視部１７は、スケジューラ２０からスケジューリング情報を入力し、これに基づいて上り又は下り通信リンクのトラフィック量を検出してもよい。トラフィック監視部１７は検出したトラフィック量をＲＳ間欠判断部１８に出力する。
【００６３】
ＲＳ間欠判断部１８は、ＵＥ監視部１４から出力された監視結果に基づいて、参照信号の間欠送信を行うか否かを判断する。例えば、ＲＳ間欠判断部１８は、監視結果として、配下のセルにおいてＵＥコンテキストを受信した旨の通知を受けたとき、当該セルに対して通常のＲＳ送信モード（通常ＲＳ送信モード、詳細は後述）として動作することを決定し、スケジューラ２０に通知する。また、ＲＳ間欠判断部１８は、監視結果として、配下のセルにおいてＵＥコンテキストが存在しない旨の通知を入力したとき、当該セルに対してＲＳ間欠送信モードとして動作することを決定し、スケジューラ２０に通知する。この場合、ＲＳ間欠判断部１８は、トラフィック監視部１７から出力されたトラフィック量に基づいて間欠サイクルを決定し、スケジューラ２０に通知する。
【００６４】
なお、ＲＳ間欠判断部１８は、ＲＳ間欠送信モードを行うことを決定したとき、ＲＳ間欠送信モードであるセルのセルＩＤと間欠送信サイクルとをＸ２／Ｓ１メッセージ送受信処理部１６に出力する。これにより、基地局１０内のセルがＲＳ間欠送信モードであることをハンドオーバ先候補の他の基地局に通知できる。
【００６５】
また、ＲＳ間欠判断部１８は、ＲＳ間欠送信モードのセルＩＤと間欠送信サイクルとをスケジューラ２０に出力し、スケジューラ２０はＲＳ間欠送信モード中のセルＩＤと間欠送信サイクルとを報知情報（ＳＩＢ）として送信するようスケジューリングする。
【００６６】
さらに、ＲＳ間欠判断部１８は、自配下の他セル又はハンドオーバ先候補である他の基地局配下の他セルがＲＳ間欠送信モードのときに基地局１０がｍｅａｓｕｒｅｍｅｎｔ  ｒｅｐｏｒｔメッセージを受信したとき、ＲＳ間欠送信モードを停止することを決定する。詳細は後述する。
【００６７】
スケジューラ２０は、端末５０にデータや信号を送信したり（下り通信リンク）、端末５０から送信されたデータや信号を受信したり（上り通信リンク）するとき、送信や受信に利用する無線リソースの割り当て（又はスケジューリング）を行う。前述したように、スケジューラ２０は、例えば参照信号については、ＲＳ間欠判断部１８からの通知に基づいて、参照信号に対するスケジューリングを行う。
【００６８】
また、スケジューラ２０は、例えば、通常ＲＳ送信モードの通知を受けたとき、偶数スロットの予め決められた無線リソースを利用して送信するようにスケジューリングを行う。さらに、スケジューラ２０は、例えば、ＲＳ間欠送信モードの通知を受けたとき、間欠送信対象のセルに対して、間欠送信サイクルに従って参照信号の間欠送信が行われるようにスケジューリングを行う。スケジューラ２０は、スケジューリング結果をスケジューリング情報として信号送信処理部２１に出力する。
【００６９】
信号送信処理部２１は、Ｘ２／Ｓ１メッセージ送受信処理部１６から出力されたユーザデータに対して、符号化処理や変調処理等を行い、スケジューリング情報に従って送信できるよう出力する。また、信号送信処理部２１は、参照信号を生成し、スケジューラ２０からのスケジューリング情報に従って参照信号が送信されるように出力する。
【００７０】
図７は端末５０の構成例を示す図である。端末５０は、アンテナ５１、電波送受信部５２、信号受信処理部５３、ＨＯ実施部５４、Ｍｅａｓｕｒｅｍｅｎｔ実施部５５、及び信号送信処理部５６を備える。
【００７１】
第１の実施例において、測定実施部５１０は、例えば、Ｍｅａｓｕｒｅｍｅｎｔ実施部５５に対応し、送信処理部５１１は、例えば、信号送信処理部５６、電波送受信部５２、及びアンテナ５１に対応する。
【００７２】
アンテナ５１は、基地局１０から送信された無線信号を受信して電波送受信部５２に出力し、又は、電波送受信部５２から出力された無線信号を基地局１０に送信する。
【００７３】
電波送受信部５２は、アンテナ５１で受信した無線信号をベースバンド信号に変換して信号受信処理部５３に出力し、又は、信号送信処理部５６から出力されたベースバンド信号を無線信号に変換してアンテナ５１に出力する。電波送受信部５２は、無線信号とベースバンド信号との間の変換のため、例えば、周波数変換器、帯域通過フィルタなどを備える。
【００７４】
信号受信処理部５３は、ベースバンド信号に対して復調処理、復号化処理等を行い、スケジューリング情報に従って端末５０あてに送信されたデータや信号を抽出する。また、信号受信処理部５３は、抽出した信号のうち、参照信号をＭｅａｓｕｒｅｍｅｎｔ実施部５５に出力する。さらに、信号受信処理部５３は、受信したデータのうち、基地局１０から送信されたハンドオーバに関するメッセージをＨＯ実施部５４に出力する。
【００７５】
尚、スケジューリング情報は基地局１０から予め決められた無線リソースを用いて制御信号として送信されるものとし、端末５０はこの制御信号を受信することで、基地局１０が作成したスケジューリング情報を受信する。
【００７６】
ＨＯ実施部５４は、基地局１０との間でハンドオーバに関するメッセージの交換を行う。例えば、ＨＯ実施部５４は、ハンドオーバ先の基地局に関する情報を含むＲＲＣｃｏｎｎｅｃｔｉｏｎＲｅｃｏｎｆｉｇｕｒａｔｉｏｎメッセージを入力すると、以後種々のメッセージを生成し、信号送受信処理部５６を介して、生成したメッセージを基地局１０に送信する。
【００７７】
Ｍｅａｓｕｒｅｍｅｎｔ実施部５５は、参照信号に対して受信電力値（又は受信パワー）を測定することで、無線伝搬路の品質を測定（ｍｅａｓｕｒｅｍｅｎｔ）する。測定値は、受信電力値以外にも、ＳＩＮＲ（Signal
to Interference Noise and power Ratio:信号対干渉雑音電力比）やＳＮＲ（Signal
to Noise Ratio:信号対雑音比）などでもよい。Ｍｅａｓｕｒｅｍｅｎｔ実施部５５は、基地局１０から通知された測定方法に基づいて、自セル又は他セルの品質を測定する。詳細は後述する。
【００７８】
参照信号は、例えば、セルごとに異なる無線リソースを用いて送信される。Ｍｅａｓｕｒｅｍｅｎｔ実施部５５は、どのセルがどの無線リソースを用いて参照信号を送信するかの情報を保持しているものとし、受信した参照信号の無線リソースと比較することで、測定対象のセルＩＤと測定値とをリンクすることができる。Ｍｅａｓｕｒｅｍｅｎｔ実施部５５は、品質測定後、測定対象のセルのセルＩＤと測定値とを信号送信処理部５６に出力する。
【００７９】
信号送信処理部５６は、セルＩＤと測定値に対して変調処理や符号化処理などの信号処理を施してベースバンド信号に変換して電波送受信部５２に出力する。信号送信処理部５６は、この変換により、例えばセルＩＤと測定値とを含むｍｅａｓｕｒｅｍｅｎｔ  ｒｅｐｏｒｔメッセージを生成する。信号送信処理部５６は、他の処理部（図示せず）からのユーザデータに対して信号処理を行うこともできる。信号送信処理部５６は、信号受信処理部５３で受信したスケジューリング情報に従って、ｍｅａｓｕｒｅｍｅｎｔ  ｒｅｐｏｒｔメッセージを基地局１０に送信するように処理を行う。
【００８０】
＜全体動作例＞
次に無線通信システム１の動作例を説明する。図８は無線通信システム１における全体動作の例を示すシーケンス図である。図８に示す例は、端末５０は接続中の基地局１０‐１から他の基地局１０‐２にハンドオーバする例（基地局間ハンドオーバ）を示す。以下において、基地局１０‐１をソース基地局（S-eNB）、基地局１０‐２をターゲット基地局と適宜呼ぶことにする。
【００８１】
最初に基地局１０‐１における動作例について説明し、次に端末５０における動作例を説明することにする。
【００８２】
＜基地局１０‐１における動作例＞
端末５０に電源が投入されると、端末５０と基地局１０‐１は接続処理を行う。これにより、基地局１０‐１は端末５０にとってソース基地局１０‐１となる。例えば接続処理において、基地局１０‐１は、品質の測定方法を端末５０に通知する（Ｓ１０）。
【００８３】
品質の測定方法について、ｓ‐Ｍｅａｓｕｒｅを利用した場合の例で以下説明する。ｓ‐Ｍｅａｓｕｒｅは、上述したように例えば自セルの品質を測定するものであり、端末５０は測定値が閾値以下になると測定値をソース基地局１０‐１に送信する。例えば、スケジューラ２０がｓ‐Ｍｅａｓｕｒｅにより測定すること、及びｓ‐Ｍｅａｓｕｒｅに関する閾値とを決定し、これらを信号送信処理部２１に出力する。信号送信処理部２１は、これらの情報を含むメッセージ（例えば、ＲＲＣｃｏｎｎｅｃｔｉｏｎＲｅｃｏｎｆｉｇｕｒａｔｉｏｎメッセージ）を生成して端末５０に送信する。
【００８４】
なお、他セルの品質測定については、例えば前述したｒｅｐｏｒｔＳｔｒｏｎｇｅｓｔＣｅｌｌｓでもよく、他セルの品質測定が行われるように指示するものであればどのようなものでもよい。この場合も、ソース基地局１０‐１は、測定方法をメッセージに含めて送信する。
【００８５】
次いで、ソース基地局１０‐１はＲＳ間欠送信処理を行う（Ｓ１１）。図９はＲＳ間欠送信処理の例を示すフローチャートである。
【００８６】
ソース基地局１０‐１は、処理を開始すると（Ｓ１１０）、最初は通常ＲＳ送信モードとして動作するものとする（Ｓ１１１）。通常ＲＳ送信モードとは、例えば、ソース基地局１０‐１が参照信号を通常のタイミング（例えば偶数スロットで毎サブフレームごとに）で送信するモードである。例えば、スケジューラ２０がどの無線リソースを用いて参照信号を送信するかのスケジューリング情報を信号送信処理部２１に出力し、このスケジューリング情報に基づいて信号送信処理部２１が参照信号を生成し、通常ＲＳ送信モードとして送信する。
【００８７】
次いで、ソース基地局１０‐１はＵＥコンテキストを監視し、トラフィック量も監視する（Ｓ１１２，Ｓ１１３）。例えば、ＵＥ監視部１４がセルごとにセル内のＵＥコンテキストの有無を監視し、トラフィック監視部１７はセルごとにセル内のトラフィック量（例えば下り通信リンクのトラフィック量）を監視する。尚、２つの処理はどちらか一方が先に行われてもよく、処理の順番は問わない。ＵＥ監視部１４は監視結果を、トラフィック監視部１７はトラフィック量を夫々ＲＳ間欠判断部１８に出力する。
【００８８】
次いで、ソース基地局１０‐１は、ＵＥコンテキストの存在しないセルがあるか否かを判別する（Ｓ１１４）。例えば、ＵＥ監視部１４が基地局１０‐１配下のセルにおいてＵＥコンテキストが存在しないか否かを監視することで判別する。
【００８９】
ソース基地局１０‐１は、あるセル内においてＵＥコンテキストが存在すれば（Ｓ１１４でＮＯ）、当該セルに位置する端末５０はアクティブ状態であるため、参照信号について通常ＲＳ送信モードを継続する（Ｓ１１１）。例えば、ＲＳ間欠判断部１８は、ＵＥ監視部１４からあるセルにおいてＵＥコンテキスト有りの監視結果を受けたとき、当該セルに対して通常ＲＳ送信モードとして動作するようスケジューラ２０に通知する。スケジューラ２０は、当該セルに対して通常ＲＳ送信モードにより参照信号を送信するようにスケジューリングする。これにより、通常ＲＳ送信モードが継続する。
【００９０】
一方、ソース基地局１０‐１は、あるセル内にＵＥコンテキストが存在しないとき（Ｓ１１４でＹＥＳ）、参照信号の間欠送信を行うことを決定し、間欠送信サイクルを決定する（Ｓ１５）。例えば、ＲＳ間欠判断部１８は、ＵＥ監視部１４から監視結果として、セル内にＵＥコンテキストが存在しない結果を受けたとき、当該セルに対してＲＳ間欠送信モードに移行することを決定する。そして、ＲＳ間欠判断部１８は、決定したＲＳ間欠送信モードのセルＩＤとＲＳ間欠送信モードとして動作することをスケジューラ２０に通知する。このとき、ＲＳ間欠判断部１８は、トラフィック量に基づいて、間欠送信のサイクルを決定しスケジューラ２０に通知する。例えば、間欠サイクルは、トラフィック量が多くなるに従いサイクルが短くなるようにすればよい。
【００９１】
次いで、ソース基地局１０‐１は参照信号の間欠送信を開始する（Ｓ１１６）。例えば、スケジューラ２０は、ＲＳ間欠判断部１８から通知されたセルＩＤのセルに対して、間欠サイクルに従って参照信号を送信するようにスケジューリングを行い、スケジューリング情報を信号送信処理部２１に出力する。信号送信処理部２１は、スケジューリング情報に従って、参照信号を生成して、参照信号を電波送受信部１２とアンテナ１１を介して送信する。これにより、当該セルにおいてＲＳ間欠送信モードにより参照信号が送信される。
【００９２】
次いで、ソース基地局１０‐１は、ＲＳ間欠送信モードであることを他の基地局（本例ではターゲット基地局１０‐２）と間欠送信モードのセル内に位置する端末５０とに通知する（Ｓ１３，Ｓ１４、例えば図８）。例えば、ターゲット基地局１０‐２は間欠送信を行っているセルＩＤと間欠サイクルとを報知情報（又はＳＩＢ：System
Information Block）としてブロードキャストで送信する。例えば、スケジューラ２０は、ＲＳ間欠判断部１８からＲＳ間欠送信対象のセルＩＤと間欠送信サイクルとを入力すると、送信のためにスケジューリングを行うことで、ＲＳ間欠送信対象のセルＩＤ等が報知情報として送信される。一方、ＲＳ間欠判断部１８はＲＳ間欠送信対象のセルＩＤと間欠送信サイクルとをＸ２／Ｓ１メッセージ送受信処理部１６に出力する。Ｘ２／Ｓ１メッセージ送受信処理部１６は、これらの情報を含むＸ２又はＳ１メッセージを生成し、ターゲット基地局１０‐２に送信する。
【００９３】
なお、ソース基地局１０‐１は、Ｓ１３（Ｓ１４）の処理とＳ１１６の処理の順番を入れ替えて処理を行ってもよい。
【００９４】
以上が、ＲＳ間欠送信処理の例である。かかるＲＳ間欠送信処理は、例えば、ターゲット基地局１０‐２でも行われる場合もある。この場合、ターゲット基地局１０‐２は、間欠送信を行うことを決定すると、ハンドオーバ先候補となる基地局（例えばソース基地局１０‐１）に間欠送信対象のセルのセルＩＤと間欠送信サイクルとを通知する。例えば、ソース基地局１０‐１のＸ２／Ｓ１メッセージ送受信部はＸ２又はＳ１メッセージをターゲット基地局１０‐２から受信し、当該メッセージから間欠送信対象のセルＩＤと間欠送信サイクルとを抽出し、ＲＳ間欠判断部１８に出力する。ＲＳ間欠判断部１８はこれをメモリに保持する。図８の例では、ターゲット基地局１０‐２が自身のセル内において間欠送信を行うことを決定しソース基地局１０‐１に通知した後（Ｓ１１’，Ｓ１３’）、ソース基地局１０‐１が参照信号の間欠送信を行うことを決定している（Ｓ１０）。
【００９５】
さらに、ＲＳ間欠送信処理は、例えば、ソース基地局１０‐１配下の他セルにおいても行われる場合もある。例えば、端末５０がセル＃１（自セル）からセル＃２（他セル）にハンドオーバする場合において、セル＃１，＃２ともにソース基地局１０‐１配下のセルの場合であり、セル＃２においてＲＳ間欠送信モードとなる場合である。この場合も、ＲＳ間欠判断部１８がＲＳ間欠送信処理（Ｓ１１）を行い、ＲＳ間欠送信モードのセル（例えばセル＃２）を決定する（Ｓ１１５）。この場合、ＲＳ間欠判断部１８は、トラフィック監視部１７からのトラフィック量に基づいて自配下の他セルに対する間欠送信サイクルを決定し（Ｓ１１５）、スケジューラ２０にセルＩＤと間欠送信サイクルとを通知する。これにより、当該セル内に報知情報としてブロードキャストされ、さらに参照信号が間欠送信サイクルで送信される。この場合も、例えば、ＲＳ間欠判断部１８はＲＳ間欠送信モードのセルＩＤと間欠送信サイクルとをメモリなどに保持する。
【００９６】
次いで、ソース基地局１０‐１は、ＲＳ間欠送信停止処理（Ｓ２０）を行う。図１０はＲＳ間欠送信停止処理の例を示すフローチャートである。
【００９７】
まず、ソース基地局１０‐１は、端末５０からｓ‐Ｍｅａｓｕｒｅに対するｍｅａｓｕｒｅｍｅｎｔ  ｒｅｐｏｒｔメッセージを受信する（Ｓ２００，Ｓ１５）。このｍｅａｓｕｒｅｍｅｎｔ  ｒｅｐｏｒｔメッセージには、端末５０が位置する自セルのセルＩＤと、自セルの品質の測定値とを含む。例えば、ソース基地局１０‐１の信号受信処理部１３は端末５０から送信されたｍｅａｓｕｒｅｍｅｎｔ  ｒｅｐｏｒｔを受信し、自セルのセルＩＤと測定値とを抽出し、ＲＳ間欠判断部１８に出力する。これにより、ＲＳ間欠判断部１８は、ソース基地局１０‐１において、ｓ‐Ｍｅａｓｕｒｅに対するｍｅａｓｕｒｅｍｅｎｔ  ｒｅｐｏｒｔメッセージを受信したことを検出する。
【００９８】
ここで、端末５０がｓ‐Ｍｅａｓｕｒｅに対するｍｅａｓｕｒｅｍｅｎｔ  ｒｅｐｏｒｔメッセージを送信するとき、自セルの品質はｓ‐Ｍｅａｓｕｒｅによる閾値以下となっており、自セルは端末５０からするとハンドオーバを行う程度に品質が低い状態となっている。かかる場合、端末５０は自セルから他セルにハンドオーバを行い得る状態となっている。このような状態において、他セルの一部又は全てがＲＳ間欠送信モードのとき、端末５０は他セルの品質を正確に測定できず、ＲＳ間欠送信モードの他セルにハンドオーバできない場合がある。そこで、ソース基地局１０‐１は、ｓ‐Ｍｅａｓｕｒｅに対するｍｅａｓｕｒｅｍｅｎｔ  ｒｅｐｏｒｔメッセージを受信したとき、この受信を契機にして、ＲＳ間欠送信モードを停止させ、通常ＲＳ送信モードとして参照信号を送信させるようにする。
【００９９】
このため、まず、ソース基地局１０‐１は、他セルにおいてＲＳ間欠送信モードが行われているか否かを判別する（Ｓ２０１）。例えば、ＲＳ間欠判断部１８は、メモリにＲＳ間欠送信モード中のセルＩＤを保持しているか否かにより判別する。
【０１００】
ソース基地局１０‐１は、ＲＳ間欠送信モードとなる他セルがあれば（Ｓ２０１でＹＥＳ）、当該他セルが自配下のセルか否かを判別する（Ｓ２０２）。例えば、ＲＳ間欠判断部１８は、保持している間欠送信モード中のセルＩＤが自配下のセルＩＤか、他の基地局配下のセルＩＤかにより判別する。
【０１０１】
ソース基地局１０‐１は、ＲＳ間欠送信モードの他セルがソース基地局１０‐１配下のセルであるとき（Ｓ２０２でＹＥＳ）、当該自配下の全ての他セルにおいて行われている参照信号の間欠送信を停止させ、通常ＲＳ送信モードとして動作させる（Ｓ２０３）。例えば、ＲＳ間欠判断部１８は、メモリに保持したＲＳ間欠送信モード中のセルＩＤが自配下のセルのセルＩＤであるとき、スケジューラ２０に対して、ＲＳ間欠送信モードの停止（又は通常ＲＳ送信モードの実行）と間欠送信を行っている全てのセルのセルＩＤとを通知する。スケジューラ２０は、この通知により、間欠送信を行っている自配下の全ての他セルに対して通常ＲＳ送信モードとなるようスケジューリングを行う。これにより、ソース基地局１０‐１配下の他セルで行われる参照信号の間欠送信が停止され、通常ＲＳ送信モードとして参照信号が送信される。なお、ＲＳ間欠判断部１８は、例えば、ＨＯ判断部１５に対してＲＳ間欠送信モードを停止させたことと停止させたセルのセルＩＤとを通知する。
【０１０２】
次いで、ソース基地局１０‐１は、端末５０に対して標準規定のＭｅａｓｕｒｅｍｅｎｔを実施させる（Ｓ２０４）。この場合、ソース基地局１０‐１は端末５０に対してとくにメッセージを送信することはなく、例えば、ソース基地局１０‐１が参照信号の間欠送信を停止させた後、最初にｍｅａｓｕｒｅｍｅｎｔ  ｒｅｐｏｒｔメッセージを受信すると、このメッセージ内の測定値に基づいてハンドオーバ処理を行う。受信した測定値は、通常ＲＳ送信モードにより測定された他セルの測定値を含むからである。
【０１０３】
ここで受信するｍｅａｓｕｒｅｍｅｎｔ  ｒｅｐｏｒｔメッセージは、例えば、自セル及び他セル測定用として通知されたｒｅｐｏｒｔＳｔｒｏｎｇｅｓｔＣｅｌｌｓ（例えばＳ１０）に対する測定値が含まれる。この受信した測定値は、例えば、自セルについてｓ‐Ｍｅａｓｕｒｅにより測定された測定値が含まれてもよい。端末５０において他セルの品質測定は、この時点において、ＲＳ間欠送信が停止され通常ＲＳ送信モードにより送信された参照信号に基づいて測定が行われることになる。
【０１０４】
一方、ソース基地局１０‐１は、ＲＳ間欠送信モードの他セルが自配下のセルでないとき（Ｓ２０２でＮＯ）、他セルを配下とする他の基地局（ターゲット基地局１０‐２も含む）にＲＳ間欠送信モードの停止（又は通常ＲＳ送信モードの実行）を通知する（Ｓ２１）。例えば、ＲＳ間欠判断部１８は、保持した対象セルのセルＩＤが他の基地局配下のセルＩＤであれば、当該他の基地局にＲＳ間欠送信モードの停止（又は通常ＲＳ送信モードの実行）をＸ２／Ｓ１メッセージ送受信処理部１６に通知する。Ｘ２／Ｓ１メッセージ送受信処理部１６は、この通知に基づいて、ＲＳ間欠送信モードの停止（又は通常ＲＳ送信モードの実行）と対象セルのセルＩＤとを含むＸ２又はＳ１メッセージを生成し、他の基地局に送信する。このとき、ＲＳ間欠判断部１８は、例えば、ＨＯ判断部１５に対して、ＲＳ間欠送信モードを停止させたことと停止させたセルのセルＩＤとを通知する。
【０１０５】
そして、ソース基地局１０‐１は標準規定のＭｅａｓｕｒｅｍｅｎｔを端末５０に実施させる（Ｓ２０４）。この場合も自配下のセルに対するものと同様に、例えば、ソース基地局１０‐１が参照信号の間欠送信を停止させた後、最初にｍｅａｓｕｒｅｍｅｎｔ  ｒｅｐｏｒｔメッセージを受信すると、このメッセージ内の測定値に基づいてハンドオーバ処理を行う。
【０１０６】
なお、ソース基地局１０‐１は、他の基地局（例えばターゲット基地局１０‐１）からＲＳ間欠送信モードの停止を通知される場合もある。このような場合、例えば、Ｘ２／Ｓ１メッセージ送受信処理部１６は他の基地局からＸ２又はＳ１メッセージを受信し、ＲＳ間欠送信モードの停止と対象セルのセルＩＤを抽出し、ＲＳ間欠判断部１８に出力する。ＲＳ間欠判断部１８はこれらを入力すると、スケジューラ２０に対して、対象となるセルＩＤと、通常ＲＳ送信モードの実行とを通知する。スケジューラ２０は、対象となるセルについて通常ＲＳ送信モードにより参照信号をスケジューリングすることで、自配下のセルの参照信号の間欠送信が停止され、通常の送信タイミング（例えば偶数スロット）で参照信号が送信される。
【０１０７】
一方、ＲＳ間欠送信モード中の他セルが存在しないとき、標準規定のＭｅａｓｕｒｅｍｅｎｔを実施させる（Ｓ２０４）。ソース基地局１０‐１は、ハンドオーバ先候補のセルにおいて参照信号の間欠送信が行われていないため、間欠送信の停止等の処理を行うことなく、標準規定のＭｅｓｕｒｅｍｅｎｔを端末５０に実施させる。
【０１０８】
図８に戻り、以上により、ソース基地局１０‐１は、ＲＳ間欠送信停止処理（Ｓ２０）を終了し、次いで、ＨＯ処理及び間欠送信再開処理（Ｓ３０）を行う。図１１はＨＯ処理及び間欠送信再開処理（Ｓ３０）の例を示すフローチャートである。
【０１０９】
ソース基地局１０‐１は、受信したｍｅａｓｕｒｅｍｅｎｔ  ｒｅｐｏｒｔメッセージに含まれる測定値（Ｓ２０４）に基づいて、ＨＯ先を決定する（Ｓ３００）。例えば、ＨＯ判断部１５は、ＲＳ間欠送信モードの停止をＲＳ間欠判断部１８から入力すると、ハンドオーバ先の基地局（又はセル）を決定する。例えば、ＨＯ判断部１５は測定値が最も高いセルを配下とする基地局をハンドオーバ先のターゲット基地局とする。ターゲット基地局は、接続中のソース基地局でもよいし、他の基地局でもよい。以下では、ターゲット基地局は他の基地局１０‐２の例で説明する。
【０１１０】
次いで、ソース基地局１０‐１は、ハンドオーバのターゲット先の基地局１０‐２にＨＯ  ｒｅｑｕｒｉｒｅｄ／ｒｅｑｕｅｓｔメッセージを送信する（Ｓ３０１（Ｓ３１））。ターゲット先が接続中の基地局１０‐１と同じときは、ソース基地局１０‐１はとくにかかるメッセージは送信しなくてもよい。送信は、例えば、ＨＯ判断部１５がターゲット基地局１０‐２を決定すると、Ｘ２／Ｓ１メッセージ送受信処理部１６にメッセージに送信を依頼することにより行われる。
【０１１１】
次いで、ソース基地局１０‐１は、ハンドオーバの実行処理を行う（Ｓ３０２（Ｓ３４））。ハンドオーバの実行処理は、例えば、ソース基地局１０‐１が端末５０にターゲット基地局１０‐２の識別情報を通知し（Ｓ３４）、端末５０がターゲット基地局１０‐２にＲＲＣｃｏｎｎｅｃｔｉｏｎＲｅｃｏｎｆｉｇｕｒａｔｉｏｎＣｏｍｐｌｅｔｅメッセージを通知する（Ｓ３５）ことで行われる。ハンドオーバ先の他セルが自配下のセルの場合、ソース基地局１０‐１は、例えば当該他セルのセルＩＤを端末５０に通知してもよい。例えば、ＨＯ判断部１５は、スケジューラ２０に対してターゲット先の識別情報を出力し、スケジューラ２０が信号送信処理部２１等を介して端末５０に送信する。これにより、ターゲット先の識別情報を含むＲＲＣ  ｃｏｎｎｅｃｔｉｏｎ  Ｒｅｃｏｎｆｉｇｕｒａｔｉｏｎメッセージがソース基地局１０‐１から端末５０に通知される。また、ハンドオーバ先の他セルが他の基地局の場合でも、ソース基地局１０‐１は、ターゲット先の識別情報を含むＲＲＣ  ｃｏｎｎｅｃｔｉｏｎ  Ｒｅｃｏｎｆｉｇｕｒａｔｉｏｎメッセージを端末５０に通知する。いずれの場合でも、かかるメッセージにより、端末５０は最終的にどこにハンドオーバすることに決定されたのかを知ることができる。
【０１１２】
また、ソース基地局１０‐１は、ターゲット基地局１０‐２にＨＯ  ｒｅｑｕｒｉｒｅｄ／ｒｅｑｕｅｓｔメッセージを送信した後、停止したＲＳ間欠送信モードを再開させるようにする（Ｓ３０２（Ｓ３２））。端末５０はＲＳ間欠送信モードを停止させた他セルに対して品質を測定できればよく、測定後、基地局１０‐２はＲＳ間欠送信モードを再開することで基地局１０‐２の消費電力を削減させることができる。  
【０１１３】
ただし、本実施例においては、ＲＳ間欠送信モードの再開は、ソース基地局１０‐１がターゲット基地局１０‐２にハンドオーバの要求メッセージを送信した後としている（Ｓ３０１）。ターゲット基地局１０‐２が決定されてハンドオーバ要求メッセージを送信できれば、参照信号の間欠送信を行っているセルに対して品質の測定が正確に行われたことが確認できるからである。
【０１１４】
例えば、ソース基地局１０‐１のＨＯ判断部１５は、ハンドオーバ要求メッセージ（Ｓ３０１）の送信を決定すると、ＲＳ間欠判断部１８にその旨を通知し、ＲＳ間欠判断部１８はこの通知により停止したＲＳ間欠送信モードの再開を決定する。ＲＳ間欠判断部１８は、再開を決定したとき、ＲＳ間欠送信モードを再開させるセルのセルＩＤをターゲット基地局１０‐２に通知するよう、Ｘ２／Ｓ１メッセージ送受信処理部１６に依頼する。ＲＳ間欠判断部１８は、再開対象のセルが自配下のセルのとき、スケジューラ２０に再開対象のセルＩＤを通知し、スケジューラ２０は当該セルに対してＲＳ間欠送信モードにより参照信号を送信するようスケジューリングする。また、ターゲット基地局１０‐２からＲＳ間欠送信モードの再開の通知があったとき、Ｘ２／Ｓ１メッセージ送受信処理部１６がこれを受信してＲＳ間欠判断部１８に出力する。ＲＳ間欠判断部１８は、通知に含まれる再開対象のセルＩＤをスケジューラ２０に通知することで、ＲＳ間欠送信モードが再開する。
【０１１５】
なお、Ｓ３０２とＳ３０３の処理の順番は問わない。Ｓ３０２が行われた後、Ｓ３０３が行われてもよいし、その逆でもよい。
【０１１６】
そして、ソース基地局１０‐１はＨＯ処理及び間欠再開処理を終了する（Ｓ３０１）。その後、端末５０は、ハンドオーバ先のセルに移動し、当該セルを配下に有する基地局１０‐２に例えばＲＲＣｃｏｎｎｅｃｔｉｏｎＲｅｃｏｎｆｉｇｕｒａｔｉｏｎＣｏｍｐｌｅｔｅメッセージを送信し、ハンドオーバが完了する。この場合、ターゲット基地局１０‐２がソース基地局となる。ハンドオーバ先のセルがソース基地局１０‐１配下のセルのときは、かかるメッセージを送信しなくてもよい。
【０１１７】
＜端末５０における動作例＞
次に端末５０における動作例について説明する。図１２は端末５０における動作例を示すフローチャートである。ただし、端末５０は本処理を開始する前に、測定方法（自セルについてはｓ‐Ｍｅａｓｕｒｅｍｅｎｔなど）が例えばＲＲＣｃｏｎｎｅｃｔｉｏｎＲｅｃｏｎｆｉｇｕｒａｔｉｏｎメッセージにより通知されているものとする（Ｓ１０）。
【０１１８】
端末５０は、処理を開始すると（Ｓ５００）、最初は通常モードとして動作する。通常モードは、例えば、端末５０が自セルにおいてソース基地局１０‐１から通常のタイミング（例えば偶数スロット）で参照信号を受信するモードである（Ｓ５０１）。
【０１１９】
次いで、端末５０はＳＩＢ（報知情報）によりＲＳ間欠サイクルとセルＩＤとを受信する（Ｓ５０２）。例えば、ソース基地局１０‐１が自セルについて参照信号の間欠送信を行うことを決定すると（Ｓ１１５，Ｓ１１６）、間欠送信サイクルと自セルのセルＩＤとを送信するため、端末５０はこれを受信する。例えば、信号受信処理部５３がＳＩＢ（報知情報）としてこれらを受信し、Ｍｅａｓｕｒｅｍｅｎｔ実施部５５に出力し、Ｍｅａｓｕｒｅｍｅｎｔ実施部５５にてこれらを保持する。尚、自セルにおいて間欠送信が行われていないとき、ソース基地局１０‐１は間欠送信サイクルなどを送信しないため、端末５０はＳ５０２の処理を行わない。
【０１２０】
次いで、端末５０は自セルにおいてソース基地局１０‐１から参照信号を受信する（Ｓ５０３）。例えば、信号受信処理部５３が参照信号を受信し、Ｍｅａｓｕｒｅｍｅｎｔ実施部５５に通知する。自セルがＲＳ間欠送信モードのとき、信号受信処理部５３はＲＳ間欠送信モードにより送信された参照信号を受信する。
【０１２１】
次いで、端末５０は自セルの品質を測定する（Ｓ５０４）。端末５０は、自セルがＲＳ間欠送信モードのとき、規定された測定時間に無関係に（または規定測定時間よりも長く測定時間で）品質を測定する。端末５０が規定された測定時間で品質を測定できない場合もあるからである。そのため、端末５０は、例えば、間欠送信サイクルとセルＩＤとを受信したとき（Ｓ５０２）、これを契機にして、自セルの品質を測定するときは規定測定時間に関係なく測定することを決定する。
【０１２２】
品質の測定は、例えば、Ｍｅａｓｕｒｅｍｅｎｔ実施部５５が行う。自セルについては、ｓ‐Ｍｅａｓｕｒｅにより品質を測定することが通知されているため、Ｍｅａｓｕｒｅｍｅｎｔ実施部５５は、測定値が閾値以下になったときに測定値を出力する。
【０１２３】
次いで、端末５０は、測定値をｍｅａｓｕｒｅｍｅｎｔ  ｒｅｐｏｒｔメッセージに含めてソース基地局１０‐１に送信する（Ｓ５０５）。例えば、Ｍｅａｓｕｒｅｍｅｎｔ実施部５５は測定値を信号送信処理部５６に出力し、信号送信処理部５６は測定値に対して符号化処理や変調処理等を行うことで、測定値を含むｍｅａｓｕｒｅｍｅｎｔ  ｒｅｐｏｒｔメッセージを生成して出力する。これにより、端末５０は、ｓ‐Ｍｅａｓｕｒｅによる測定値をソース基地局１０‐1に報告することができる。ソース基地局１０‐１はこの報告がＲＳ間欠送信モード停止の契機となる（Ｓ２００（Ｓ１５））。
【０１２４】
次いで、端末５０は、自セル及び他セルの品質を測定し、測定値をｍｅａｓｕｒｅｍｅｎｔ  ｒｅｐｏｒｔメッセージに含めて送信する（Ｓ５０６）。この時点において、端末５０からすると、他セルの品質を測定しても、当該他セルにおいて既に参照信号の間欠送信が停止され、通常ＲＳ送信モードとして参照信号が送信されるため、他セルの品質を正確に測定できる。例えば、測定はＭｅａｓｕｒｅｍｅｎｔ実施部５５が行う。  
【０１２５】
次いで、端末５０は、ソース基地局１０‐１からＲＲＣｃｏｎｎｅｃｔｉｏｎＲｅｃｏｎｆｉｇｕｒａｔｉｏｎメッセージを受信する（Ｓ５０７）。この時点において、ソース基地局１０‐１ではハンドオーバ先を決定しており、端末５０はこのメッセージの受信により、決定したハンドオーバ先の基地局（又はセル）の情報を得ることができる。例えば、信号受信処理部５３を介してＨＯ実施部５４が当該メッセージを受信する。例えば、当該メッセージには、ターゲット先の基地局ＩＤ又はセルＩＤが含まれており、ＨＯ実施部５４がこれを保持する。
【０１２６】
次いで、端末５０は、ターゲット基地局１０‐２との間でハンドオーバ処理を実施し（Ｓ５０８）、ハンドオーバ先のセルに移動する。例えば、ＨＯ実施部５４は、ターゲット基地局１０‐２に対して、ＲＲＣｃｏｎｎｅｃｔｉｏｎＲｅｃｏｎｆｉｇｕｒａｔｉｏｎＣｏｍｐｌｅｔｅメッセージを送信する。
【０１２７】
そして、端末５０は一連の処理を終了する（Ｓ５０９）。
【０１２８】
このように、ソース基地局１０‐１は、ハンドオーバ先候補の他セルにおいて参照信号の間欠送信が行われているとき、ｓ‐Ｍｅａｓｕｒｅに対する品質測定値を受信したことを契機に間欠送信を停止させ、通常の送信タイミングで参照信号を送信させる。端末５０はこれにより、他セルの品質を正確に測定できるため、他セルにおいて参照信号の間欠送信が行われている場合でも、ハンドオーバ先となることもできる。
【０１２９】
＜他の動作例＞
次に他の動作例について説明する。上述した例は、基地局１０‐１がｓ‐Ｍｅａｓｕｒｅに対するｍｅａｓｕｒｅｍｅｎｔ  ｒｅｐｏｒｔメッセージを受信したことを契機にして（Ｓ２００）、参照信号の間欠送信を停止させ、通常ＲＳ送信モードとして動作するようにした（Ｓ２０３，Ｓ２１）。本動作例は、ｓ‐Ｍｅａｓｕｒｅに代えて、新たなＩＥ（Information
Element）によりｍｅａｓｕｒｅｍｅｎｔ  ｒｅｐｏｒｔメッセージを報告させ、これを契機に参照信号の間欠送信を停止させ、通常ＲＳ送信モードとして動作する例である。無線通信システム１の構成例、基地局１０と端末５０の構成例は上述した例（例えば図２〜図７）と同様である。
【０１３０】
全体動作については図８と同様であるが、ソース基地局１０‐１は他セルのｍｅａｓｕｒｅｍｅｎｔ  ｒｅｐｏｒｔメッセージに対する測定方法として、新たなＩＥであることを通知する（Ｓ１０）。
【０１３１】
本実施例では、この新たなＩＥを、ｒｅｐｏｒｔＣｅｌｌＦｏｒＥＳと称する。ｒｅｐｏｒｔＣｅｌｌＦｏｒＥＳは、例えば、他セルの品質を少しでも測定できれば報告することを指示するＩＥである。ｒｅｐｏｒｔＣｅｌｌＦｏｒＥＳの通知を受けた端末５０は、少しでも測定値を得ることができれば、測定値と測定対象セルのセルＩＤとをｍｅａｓｕｒｅｍｅｎｔ  ｒｅｐｏｒｔメッセージに含めて送信する。
【０１３２】
なお、ＩＥとは、例えば、メッセージに含まれる情報要素のことであり、ｓ‐ＭｅａｓｕｒｅもＩＥの一つである。
【０１３３】
全体動作において、ＲＳ間欠送信処理（Ｓ１１）はｓ‐Ｍｅａｓｕｒｅの場合と同様である。ソース基地局１０‐１が自セルに対して参照信号の間欠送信を行うこともできるし、自配下の他セルに対して参照信号の間欠送信を行うこともできる。また、ソース基地局１０‐１は、ハンドオーバ先候補の他の基地局（例えばターゲット基地局１０‐２）からＲＳ間欠送信モードの通知を受けることもできる。その後、ソース基地局１０‐１はｒｅｐｏｒｔＣｅｌｌＦｏｒＥＳを利用した場合のＲＳ間欠送信停止処理（Ｓ２０）を行う。図１３はかかる場合の例を示すフローチャートである。
【０１３４】
ソース基地局１０‐１は、端末５０からｍｅａｓｕｒｅｍｅｎｔ  ｒｅｐｏｒｔメッセージを受信する（Ｓ２００（Ｓ１５））。このｍｅａｓｕｒｅｍｅｎｔ  ｒｅｐｏｒｔメッセージは、ｒｅｐｏｒｔＣｅｌｌＦｏｒＥＳに対する測定値を含む。端末５０がかかる測定値を報告する場合は、少しでも他セルの品質が測定できる場合であり、端末５０が当該他セルにハンドオーバにより移動できる可能性がある場合である。よって、このような場合、ソース基地局１０‐１は、参照信号の間欠送信を停止させ、通知した端末５０のために、通常ＲＳ送信モードにより参照信号を送信し品質を測定させるようにする。これにより、端末５０は、間欠送信が行われているセルに対しても正確に品質を測定することができ、ハンドオーバにより当該セルに移動できるようになる。ｒｅｐｏｒｔＣｅｌｌＦｏｒＥＳに対する測定値は、例えば、信号受信処理部１３等を介してＲＳ間欠判断部１８に入力される。
【０１３５】
なお、ｒｅｐｏｒｔＣｅｌｌＦｏｒＥＳは、ｓ‐Ｍｅａｓｕｒｅの例と同様に、例えば、ソース基地局１０‐１は、ＲＲＣｃｏｎｎｅｃｔｉｏｎＲｅｃｏｎｆｉｇｕｒａｔｉｏｎメッセージにより端末５０に通知するものとする（Ｓ１０）。  
【０１３６】
次いで、ソース基地局１０‐１は、受信したｍｅａｓｕｒｅｍｅｎｔ  ｒｅｐｏｒｔメッセージ中にＲＳ間欠送信モードのセルＩＤがあるか否かを判別する（Ｓ２５１）。例えば、ＲＳ間欠判断部１８は、保持したＲＳ間欠送信モード中のセルＩＤと、受信したｍｅａｓｕｒｅｍｅｎｔ  ｒｅｐｏｒｔメッセージ中に含まれるセルＩＤ（測定対象のセルＩＤ）とが一致するか否かにより判別する。なお、保持したＲＳ間欠送信モード中のセルＩＤは、自セルのセルＩＤ、配下の他セルのセルＩＤ、または他の基地局配下のセルＩＤ、いずれの場合もあり得る。
【０１３７】
ｓ‐Ｍｅａｓｕｒｅの場合、ソース基地局１０‐１は間欠送信を行っている自配下の全ての他セルに対して間欠送信を停止させるようにした。ｓ‐Ｍｅａｓｕｒｅの場合、ソース基地局１０‐１は、自セルの品質が報告され、他セルの品質が報告されないためである。本例では、ｍｅａｓｕｒｅｍｅｎｔ  ｒｅｐｏｒｔメッセージ中に他セルのセルＩＤが含まれる。よって、ソース基地局１０‐１は、このセルＩＤを利用して、当該セルＩＤの他セルが間欠送信モード中であれば、通常ＲＳ送信モードに移行させることができる。
【０１３８】
ソース基地局１０‐１は、受信したｍｅａｓｕｒｅｍｅｎｔ  ｒｅｐｏｒｔメッセージにＲＳ間欠送信モードのセルＩＤがあれば（Ｓ２５１でＹＥＳ）、測定値が基準値を満たすか否かを判別する（Ｓ２５２）。端末５０は規定測定時間に関係なく、少しの時間であっても他セルの品質を測定できれば測定値を報告することになるが、測定値が低すぎる場合、ハンドオーバ先としては適切でない場合もある。このような場合を考慮して、ハンドオーバを行う程度に十分な測定値を有するセルに移動できるようにするため、基準値を設けて、ソース基地局１０‐１が比較するようにしている。
【０１３９】
従って、測定値が基準値を満たさないとき（Ｓ２５２でＮＯ）、ソース基地局１０‐１は当該セルに対してＲＳ間欠送信モードを継続し、ハンドオーバが行われないようにする（Ｓ２５５）。測定した品質がハンドオーバできる程度に十分な品質を満たしていないからである。例えば、ＲＳ間欠判断部１８は、保持したＲＳ間欠送信モード中のセルＩＤと受信したｍｅａｓｕｒｅｍｅｎｔ  ｒｅｐｏｒｔメッセージに含まれるセルＩＤとが一致したとき、当該メッセージに含まれる測定値と予め保持した基準値とを比較する。そして、ＲＳ間欠判断部１８は、例えば、測定値が基準値より低いとき、とくに処理を行わずこのままの状態を継続する。
【０１４０】
そして、一連の処理を終了させる（Ｓ２５６）。
【０１４１】
一方、測定値が基準値を満たすとき（Ｓ２５２でＹＥＳ）、ソース基地局１０‐１は対象となるセルの間欠送信を停止させる（Ｓ２５３）。例えば、ＲＳ間欠判断部１８は、測定値が基準値より大きいとき、ｍｅａｓｕｒｅｍｅｎｔ  ｒｅｐｏｒｔメッセージに含まれるセルＩＤのセルに対して間欠送信を停止させるようにする。ハンドオーバ先となり得る程度に十分な測定値が得られたからである。ｒｅｐｏｒｔＣｅｌｌＦｏｒＥＳに対する測定値は、他セルの測定値であるため、参照信号の間欠送信を停止させるセルは、例えば、ソース基地局１０‐１配下の他セル又は他の基地局配下の他セルとなる。ソース基地局１０‐１配下の他セルの間欠送信を停止させる場合は、例えば、ＲＳ間欠判断部１８がｍｅａｓｕｒｅｍｅｎｔ  ｒｅｐｏｒｔメッセージに含まれるセルＩＤと間欠送信停止をスケジューラ２０に通知することで行われる。また、他の基地局（例えばターゲット基地局１０‐２も含む）のセルの間欠送信を停止させる場合は、例えば、ＲＳ間欠判断部１８が間欠送信停止とｍｅａｓｕｒｅｍｅｎｔ  ｒｅｐｏｒｔメッセージに含まれるセルＩＤとをＸ２／Ｓ１メッセージ送受信処理部１６に出力する。これにより、当該他セルを配下に有する基地局に間欠送信停止が通知され、間欠送信が停止され、通常ＲＳ送信モードにより参照信号が送信される。
【０１４２】
ただし、ソース基地局１０‐１は、測定値が基準値を満たすか否かに拘わらず、参照信号の間欠送信を停止させたり、継続させたりすることもできる。図１５（Ａ）〜図１５（Ｃ）は各セルにおける参照信号の間欠送信タイミングの例、図１５（Ｄ）は各セルの関係例を夫々示す図である。例えば、セル＃ａは通常ＲＳ送信モードであり、セル＃ｂとセル＃ｃはＲＳ間欠送信モードである。ただし、セル＃ｃの方がセル＃ｂよりも間欠サイクルは長い。
【０１４３】
このような場合、図１５（Ｄ）に示すように、端末５０がセル＃ｃに対する品質を測定すると、セル＃ａとセル＃ｂの２つと比較して最も測定値が低くなる。このような場合、セル＃ｃの測定値が基準値よりも低いときでも、セル＃ｃへのハンドオーバが予め設計されていれば、ＲＳ間欠送信モードを停止させることもできる。これにより、端末５０はセル＃ｃに対する測定値を正確に測定することができる。一方、セル＃ｃに対するハンドオーバが行われないように設計されているときは、測定値が基準値を満たしているときでも、セル＃ｃに対するＲＳ間欠送信モードを継続させるようにすることもできる。これにより、セル＃ｃに対するハンドオーバの可能性が低くなる。
【０１４４】
このように、予め設計したハンドオーバ先の規則に従って、間欠送信を停止させたり継続させることもできる。例えば、ＲＳ間欠判断部１８は、設計された（コンフィグされた）ハンドオーバ先のセルに関する情報を保持し、本処理において（Ｓ２５２）、この情報を優先してＲＳ間欠送信モードの停止や継続を判別するようにしてもよい。
【０１４５】
図１３に戻り、Ｓ２５１でＮＯのとき、またはＳ２５３の処理が終了すると、ソース基地局１０‐１は標準規定のｍｅａｓｕｒｅｍｅｎｔを実施させる（Ｓ２５４）。ｓ‐Ｍｅａｓｕｒｅの場合の処理（Ｓ２０４）と同様に、例えば、ソース基地局１０‐１が参照信号の間欠送信を停止させた後、最初にｍｅａｓｕｒｅｍｅｎｔ  ｒｅｐｏｒｔメッセージを受信すると、このメッセージ内の測定値に基づいてハンドオーバ処理を行う。この場合のｍｅａｓｕｒｅｍｅｎｔ  ｒｅｐｏｒｔメッセージは、例えば、自セルについてはｓ‐Ｍｅａｓｕｒｅによる測定値でもよいし、他セルについてはｒｅｐｏｒｔＳｔｒｏｎｇｅｓｔＣｅｌｌｓによる測定値でもよい。以後は、これらの測定値に基づいて、例えばＨＯ判断部１５がハンドオーバ先を決定する等の処理を行う。また、ソース基地局１０‐１は、ｓ‐Ｍｅａｓｕｒｅの場合と同様にターゲット先の間欠送信を再開させる処理（Ｓ３０３（Ｓ３２））を行う。
【０１４６】
図１４は、ｒｅｐｏｒｔＣｅｌｌＦｏｒＥＳを利用した場合の端末側処理（Ｓ５０）の動作例を示すフローチャートである。処理を開始後（Ｓ５００）、参照信号の間欠受信（Ｓ５０３）までは、ｓ‐Ｍｅａｓｕｒｅの場合と同様である。なお、端末５０は接続処理において、ｒｅｐｏｒｔＣｅｌｌＦｏｒＥＳにより他セルの品質を測定することをＲＲＣｃｏｎｎｅｃｔｉｏｎＲｅｃｏｎｆｉｇｕｒａｔｉｏｎメッセージにより通知されているものとする（Ｓ１０）。
【０１４７】
次いで、端末５０は、ｒｅｐｏｒｔＣｅｌｌＦｏｒＥＳに基づいて他セルの品質を測定する（Ｓ５２１）。例えば、Ｍｅａｓｕｒｅｍｅｎｔ実施部５５は、信号受信処理部５３で受信した参照信号に基づいて受信レベルを測定することで品質を測定する。
【０１４８】
次いで、端末５０は少しでも品質を測定できれば、測定値を含むＭｅａｓｕｒｅｍｅｎｔ  ｒｅｐｏｒｔメッセージをソース基地局１０‐１に送信する（Ｓ５２２）。例えば、Ｍｅａｓｕｒｅｍｅｎｔ実施部５５が他セルからの参照信号の受信レベルが少しでもあれば測定値として信号送信処理部５６に出力し、信号送信処理部５６が測定値を含むＭｅａｓｕｒｅｍｅｎｔ  ｒｅｐｏｒｔメッセージを生成して送信する。
【０１４９】
ソース基地局１０‐１では、測定値が基準値を満たしているとき（又は測定値が基準値以上のとき）、当該他セルに対して参照信号の間欠送信を停止させるため、端末５０は通常のタイミングで送信された参照信号に基づいて測定値を測定することができる。この場合の、測定方法は、例えば、他セルについては上述したｒｅｐｏｒｔＣｅｌｌＦｏｒＥＳに対するものでよいし、自セルについてはｒｅｐｏｒｔＳｔｒｏｎｇｅｓｔＣｅｌｌｓでもよいし、ｓ‐Ｍｅａｓｕｒｅに対するものでもよい。いずれも、例えば接続処理において、基地局１０‐１が端末５０に通知しているものとする（Ｓ１０）。
【０１５０】
以後、端末５０は、ｓ‐Ｍｅａｓｕｒｅの場合と同様に、ＨＯ処理等を行う（Ｓ５０６〜Ｓ５０９）。
【符号の説明】
【０１５１】
１：無線通信システム                  １０：無線基地局装置（基地局）
１０‐１，１０‐２，１０‐１０，１０‐１１：無線基地局装置（基地局）
１３：信号受信処理部                  １４：ＵＥ監視部
１５：ＨＯ判断部                      １６：Ｘ２／Ｓ１メッセージ送受信処理部
１７：トラフィック監視部              １８：ＲＳ間欠判断部
２０：スケジューラ                    ２１：信号送信処理部
５０：端末装置（端末）                ５３：信号受信処理部
５４：ＨＯ実施部                      ５５：Ｍｅａｓｕｒｅｍｅｎｔ実施部
５６：信号送信処理部
【図１】
2012066676.tif 000003
【図２】
2012066676.tif 000004
【図３】
2012066676.tif 000005
【図４】
2012066676.tif 000006
【図５】
2012066676.tif 000007
【図６】
2012066676.tif 000008
【図７】
2012066676.tif 000009
【図８】
2012066676.tif 000010
【図９】
2012066676.tif 000011
【図１０】
2012066676.tif 000012
【図１１】
2012066676.tif 000013
【図１２】
2012066676.tif 000014
【図１３】
2012066676.tif 000015
【図１４】
2012066676.tif 000016
【図１５】
2012066676.tif 000017
【図１６】
2012066676.tif 000018
【図１７】
2012066676.tif 000019
【図１８】
2012066676.tif 000020
【図１９】
2012066676.tif 000021
【図２０】
2012066676.tif 000022
【図２１】
2012066676.tif 000023
【図２２】
2012066676.tif 000024
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
端末装置と無線通信を行う無線基地局装置において、
前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御する間欠判断部と、
前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定するハンドオーバ判断部と
を備えることを特徴とする無線基地局装置。  
【請求項２】
前記間欠判断部は、第１の閾値を前記端末装置に送信し、前記第１のセルの品質が前記第１の閾値以下となったときに前記端末装置から送信された前記第１のメッセージを受信することを特徴とする請求項１記載の無線基地局装置。
【請求項３】
前記間欠判断部は、前記第１のセルにおいて前記参照信号が前記第２の送信期間で送信されているとき、規定された測定期間より長い測定期間で測定された前記第１のセルの品質を含む前記第１のメッセージを受信することを特徴とする請求項２記載の無線基地局装置。
【請求項４】
前記間欠判断部は、前記第２のセルの品質が第２の閾値以下のときでも前記第２のセルの品質が測定されたときに前記端末装置から送信された前記第１のメッセージを受信することを特徴とする請求項１記載の無線基地局装置。
【請求項５】
前記間欠判断部は、前記第１のメッセージに含まれる前記第２のセルの品質が基準値以上のとき、前記第２のセルにおいて前記第１の送信期間で前記参照信号が送信されるよう制御し、前記第２のセルの品質が基準値より小さいとき、前記第２のセルにおいて前記第２の送信期間で前記参照信号が送信されることを継続させるよう制御することを特徴とする請求項４記載の無線基地局装置。
【請求項６】
更に、スケジューラを備え、
前記間欠判断部は、前記第１又は第２のセルの品質を含む前記第１のメッセージを受信したとき、前記第２のセルにおいて前記第１の送信期間で前記参照信号が送信されるよう前記スケジューラに通知し、
前記スケジューラは、当該通知に基づいて、前記無線基地局装置配下の前記第２のセルに対して前記第１の送信期間で前記参照信号が送信されるようにスケジューリングを行い、
前記スケジューリングにより前記無線基地局装置配下の前記第２のセルにおいて前記第１の送信期間で前記参照信号が送信されることを特徴とする請求項１記載の無線基地局装置。
【請求項７】
更に、前記他の無線基地局装置との間でメッセージを送受信するメッセージ送受信処理部を備え、
前記間欠判断部は、前記第１又は第２のセルの品質を含む前記第１のメッセージを受信したとき、前記第２のセルにおいて前記第１の送信期間で前記参照信号が送信されるよう前記メッセージ送受信処理部に通知し、
前記メッセージ送受信処理部は、当該通知に基づいて前記他の無線基地局装置配下の前記第２のセルおいて前記第１の送信期間で前記参照信号が送信されるよう第３のメッセージを送信し、
前記第３のメッセージの送信により、前記他の無線基地局装置配下の前記第２のセルにおいて前記第１の送信期間で前記参照信号が送信されることを特徴とする請求項１記載の無線基地局装置。
【請求項８】
無線基地局装置と無線通信を行う端末装置において、
前記無線基地局装置配下の第１のセルにおいて、前記第１のセルの品質又は前記無線基地局装置配下或いは他の無線基地局装置配下の第２のセルの品質を第１の品質として測定し、更に、前記第１の品質を測定後、前記第２のセルの品質を第２の品質として測定する測定実施部と、
前記第１の品質を含む第１のメッセージと、前記第２の品質を含む第２のメッセージとを生成し、前記無線基地局装置に夫々送信する送信処理部とを備え、
前記測定実施部は、第１の送信期間よりも送信期間が短い第２の送信期間で送信された参照信号に基づいて前記第２のセルの品質を前記第１の品質として測定し、前記第１の送信期間で送信された前記参照信号に基づいて前記第２のセルの品質を前記第２の品質として測定することを特徴とする端末装置。
【請求項９】
無線基地局装置と端末装置とを備え、
前記無線基地局装置と前記端末装置との間で無線通信を行う無線通信システムにおいて、
前記無線基地局装置は、
前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御する間欠判断部と、
前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定するハンドオーバ判断部とを備え、
前記端末装置は、
前記第１又は第２のセルの品質を第１の品質として測定し、更に、前記第１の品質を測定後、前記第２のセルの品質を第２の品質として測定する測定実施部と、
前記第１の品質を含む前記第１のメッセージと、前記第２の品質を含む前記第２のメッセージとを前記無線基地局装置に送信する送信処理部とを備えることを特徴とする無線通信システム。
【請求項１０】
端末装置と無線通信を行う無線基地局装置における無線通信方法であって、
前記無線基地局装置配下の第１のセルにおいて前記端末装置により測定された、前記第１のセルの品質又は前記無線基地局装置配下或いは他の無線基地局装置配下の第２のセルの品質を含む第１のメッセージを受信したときに、前記第２のセルにおいて第１の送信期間より送信期間が短い第２の送信期間で参照信号が送信されているとき、前記第２のセルにおいて前記第１の送信期間で前記参照信号が送信されるよう制御し、
前記第１の送信期間で送信された前記参照信号に基づいて前記第１のセルにおいて前記端末装置により測定された前記第２のセルの品質を含む第２のメッセージを受信し、当該品質に基づいて前記端末装置のハンドオーバ先を決定する、
ことを特徴とする無線通信方法。
【国際調査報告】
2012066676.tif 000025
2012066676.tif 000026
2012066676.tif 000027
2012066676.tif 000028